(57)【特許請求の範囲】
【請求項１】
原画像から顔写真を切り抜く顔写真画像切り抜き処理方法において、
第１の制御部が、画像データ記憶部から前記原画像の画像データを読み出して前記原画像を表示部に表示させるステップと、
第２の制御部が、前記顔写真における人物の顔の部分を表す第１の図形と前記顔写真における前記人物の少なくとも首を含む胴体部分を表す第２の図形とを予め指定された割合で生成すると共に、所定の縦横比を有し、前記第１及び第２の図形を含む前記顔写真の切り抜き枠を表すガイド用枠を生成して前記原画像に重ねて前記表示部に表示させるステップと、
前記第２の制御部が、前記人物の顔の所定部位の座標として指定された第１の座標に、前記所定部位に対応する前記第１の図形上の部位を位置させて、前記所定の縦横比を保ちながら、前記第１の座標を基準とした第２の座標により、前記表示部に表示される前記ガイド用枠の大きさを与えると共に、前記ガイド用枠に合わせて前記第１及び第２の図形の大きさを定めるステップと、
演算部が、前記第１の座標と前記第２の座標とから前記切り抜き枠の座標を演算するステップと
を含むことを特徴とする顔写真画像切り抜き処理方法。
【請求項２】
前記所定部位は、前記人物の目と目との間、または鼻であることを特徴とする請求項１に記載された顔写真画像切り抜き処理方法。
【請求項３】
前記第１の座標は、ドラッグ操作の起点として指定され、前記第２の座標は、前記ドラッグ操作の終点として指定されることを特徴とする請求項１または２に記載された顔写真画像切り抜き処理方法。
【発明の詳細な説明】
【０００１】
【発明の属する技術分野】
本発明は、デジタルカメラやスキャナなどから取得した画像から顔写真を切り抜く顔写真画像切り抜き方法に関する。
【０００２】
【従来の技術】
従来、証明写真やＩＤカード用の顔写真を作成するための技術として、デジタルカメラやスキャナなどの機材により取得した画像データから写真を作成する技術が知られている。例えば、顔写真入りのＩＤカードを作成する場合、デジタルカメラで人物の顔写真を撮り、これにより取得された画像データをパソコンなどの情報処理装置に取り込む。そして、この情報処理装置に接続されたカードプリンタにより顔写真をＩＤカードに直接的にプリントする。この技術によれば、例えば原画像を拡大・縮小したり配色を変更するなど、原画像に対して多様な表現上の加工を任意に施すことが可能となる。
【０００３】
【発明が解決しようとする課題】
ところで、顔写真の場合、そのサイズは使用目的に応じて多種多様である上、顔写真の中心線上に顔の画像部分を位置させる必要がある。そこで、原画像から顔写真を切り抜く場合、例えば顔写真の切り抜き枠の左上隅の位置を決めた後、切り抜き枠の対角線に沿って右下隅の位置を移動させ、切り抜き枠を適当な大きさにまで広げて切り抜きサイズを決めていた。
【０００４】
しかしながら、この方法によれば、切り抜き枠の対角線上の２隅の位置を指定してサイズを決めるものであるため、顔の画像部分が必ずしも顔写真の中心線上になく、顔写真の左右や上下のバランスを調整することが困難であった。
【０００５】
また、切り抜いた顔写真の大きさを使用目的に応じたサイズに合わせるため、横方向や縦方向に拡大処理や縮小処理などの画像処理を施すと、縦横比が原画像とは異なったものとなり、顔の画像部分が変形してしまう。
さらに、顔写真の使用目的に応じて、顔の画像部分と首から下の画像部分との割合が異なるのが通例であり、所望の割合で顔と首から下の画像部分を顔写真の切り抜き枠内に収めることが困難であった。
【０００６】
本発明は、上記事情に鑑みてなされたもので、顔の画像部分を写真の中心線上に位置させながら、バランスよく容易に顔写真を切り抜くことが可能な顔写真画像切り抜き方法を提供することを目的とする。
【０００７】
【課題を解決するための手段】
上記課題を解決するため、本発明は以下の構成を有する。
すなわち、本発明は、原画像から顔写真を切り抜く顔写真画像切り抜き処理方法において、第１の制御部が、画像データ記憶部から前記原画像の画像データを読み出して前記原画像を表示部に表示させるステップと、第２の制御部が、前記顔写真における人物の顔の部分を表す第１の図形と前記顔写真における前記人物の少なくとも首を含む胴体部分を表す第２の図形とを予め指定された割合で生成すると共に、所定の縦横比を有し、前記第１及び第２の図形を含む前記顔写真の切り抜き枠を表すガイド用枠を生成して前記原画像に重ねて前記表示部に表示させるステップと、前記第２の制御部が、前記人物の顔の所定部位の座標として指定された第１の座標に、前記所定部位に対応する前記第１の図形上の部位を位置させて、前記所定の縦横比を保ちながら、前記第１の座標を基準とした第２の座標により、前記表示部に表示される前記ガイド用枠の大きさを与えると共に、前記ガイド用枠に合わせて前記第１及び第２の図形の大きさを定めるステップと、演算部が、前記第１の座標と前記第２の座標とから前記切り抜き枠の座標を演算するステップとを含むことを特徴とする。
【０００８】
この方法によれば、第１の座標を指定することにより、顔の位置が決定され、続いて第１の座標を基準として第２の座標を指定することにより、切り抜き枠が決定される。すなわち、顔の位置を基準として切り抜き枠が決定される。したがって、第１の座標と第２の座標との間の位置関係を予め取り決めておけば、切り抜き枠の所望の位置に顔を位置させ、しかも任意の割合で顔と首から下の部分を顔写真内に収めることが可能となる。よって、顔の画像部分を写真の中心線上に位置させながら、バランスよく容易に顔写真を切り抜くことが可能となる。
【０００９】
上記顔写真画像切り抜き処理方法において、前記所定部位は、例えば、前記人物の目と目との間（例えば眉間）、または、前記人物の鼻であることを特徴とする。上記顔写真画像切り抜き方法において、前記第１の座標は、例えば、ドラッグ操作の起点として指定され、前記第２の座標は、前記ドラッグ操作の終点として指定されることを特徴とする。
【００１０】
【発明の実施の形態】
以下、図面を参照して本発明の実施の形態について説明する。
図１に、この実施の形態にかかる顔写真画像切り抜き装置１００の構成を示す。同図において、符号１０は、原画像の画像データを記憶する画像データ記憶部である。この画像データ記憶部１０には、予め顔写真に現すべき人物の顔写真の原画像のデータが格納されている。符号２０は、画像データ記憶部１０から画像デーを読み出して、原画像の表示制御を行う原画像表示制御部である。符号３０は、後述のガイド用枠の生成および表示の制御を行うガイド用枠生成表示制御部である。このガイド用枠は原画像上に表示され、切り抜き枠を原画像の画面上で視覚的に表すものである。
【００１１】
符号４０は、切り抜き枠の座標を演算する切り抜き枠座標演算部である。符号５０は、装置全体の動作を管理制御するシステム制御部である。符号６０は、上述の原画像表示制御部２０やガイド用枠生成表示制御部３０の制御の下に原画像やガイド用枠を表示するための表示部である。符号７０は、外部から情報を入力するための入力部であり、例えばキーボードやマウスである。これらの構成要素は、データバス８０を介して相互に接続され、パソコンなどの情報処理装置上にソフトウェアやハードウェアとして実現される。
【００１２】
以下、図２に示すフローチャートに沿って、この実施の形態にかかる顔写真画像切り抜き装置の動作（顔写真画像切り抜き方法）を説明する。
ステップＳ１：まず、表示部６０上に原画像の表示を行う。すなわち、原画像表示制御部２０は、画像データ記憶部１０に記憶された画像データを読み出して、図３（ａ）に示すように、表示部６０に原画像Ｐを表示させる。この図３（ａ）に示す例では、原画像Ｐには、人物Ｊの上半身が現されており、顔の部分と首から下の部分が、ほぼ２対３の割合となっている。
【００１３】
ステップＳ２：続いて、切り抜きサイズと、首から下の部分の割合とをパラメータとして設定する。具体的には、この装置の利用者は、切り抜きサイズとして、顔写真の横のサイズおよび縦のサイズ（以下、「サイズパラメータ」と称す）を入力部７０から入力する。このサイズパラメータに加えて、顔と首から下の部分との割合（以下、「割合パラメータ」と称す）を入力する。これらのパラメータは、ガイド用枠生成表示制御部３０に与えられる。
【００１４】
ステップＳ３：続いて、この装置の利用者は、入力部７０のマウスを操作して、図３（ａ）に示すように、画面に表示された原画像Ｐ上の人物Ｊの目と目との間（所定部位）ＡにカーソルＣを合わせ、所定部位Ａの座標（第１の座標）を指定する。所定部位Ａは、後述するように、顔写真上での人物の顔の位置を規定し、この所定部位Ａの座標は入力部７０のマウスによるドラッグ操作の起点として指定される。
【００１５】
ステップＳ４：所定部位Ａの座標の指定が行われると、続いて、図３（ｂ）に示すように、原画像Ｐに重ねて、ガイド用枠Ｆの生成および表示が行われる。このガイド用枠Ｆは、原画像上で切り抜き枠を視覚的に表示するためのもので、顔の部分を表す楕円状の図形Ｆａと、首から下の胴体部分を表す図形Ｆｂとを含む。ここで、図形Ｆａが表す顔の目と目との間の位置は、原画像上の人物の顔の所定部位Ａ（すなわち人物Ｊの目と目との間）の座標に固定される。
【００１６】
これらガイド用枠Ｆおよび図形Ｆａ，Ｆｂは、上述のサイズパラメータおよび割合パラメータに基づき生成される。すなわち、ガイド用枠Ｆの縦横比はサイズパラメータから決定され、ガイド用枠Ｆはこの縦横比を保ちながらカーソルＣの位置に応じて大きさが変化する。このとき、所定部位Ａに対応する図形Ｆａ上の部位が、先に指定された所定部位Ａの座標に固定された状態で、ガイド用枠の大きさが変化する。図３（ｂ）に示す例では、所定位置Ａを指定した後のカーソルＣの位置がガイド用枠Ｆの左下隅の位置を規定しており、所定部位Ａを指定した後にマウスをドラッグ操作してカーソルＣを移動させることにより、所定部位Ａの座標を起点としてガイド用枠Ｆの大きさが変化する。
【００１７】
また、図形Ｆａと図形Ｆｂとの割合（縦方向の大きさの割合）は、上述の割合パラメータにより規定され、これら図形Ｆａ，Ｆｂの大きさは、ガイド用枠Ｆに従って変化する。ここで、図形Ｆａは、上述の所定部位Ａの座標に対し所定の位置関係を有し、顔の輪郭の中心位置と所定部位Ａとの間のズレ分に応じて、所定部位Ａの座標に対し図形Ｆａが偏心して表示される。これは、所定部位Ａとして例えば「鼻」などを指定するものとした場合、所定部位Ａが必ずしも顔の輪郭の中心と一致しないことに対応させたものである。ただし、この実施の形態では、目と目との間の位置は、顔の輪郭の中心と一致するものとし、従って図形Ｆａの中心は所定部位Ａの座標に設定される。
【００１８】
ステップＳ５：続いて、この装置の利用者が、入力部７０のマウスを操作して、ガイド用枠Ｆとして表示される切り抜き枠の調整を行う。具体的には、図３（ｃ）に示すように、図形Ｆａが人物Ｊの顔の輪郭に近似するように（すなわち概ね重なるように）、ガイド用枠Ｆの右下隅の位置を調整する。このとき、ガイド用枠生成表示制御部３０は、ガイド用枠Ｆの横方向と縦方向の各サイズの数値をも表示部６０の画面上に表示する。したがって、この装置の利用者は、表示部６０に表示される数値を参照すれば、切り抜き枠のサイズを正確に指定することができる。
【００１９】
ステップＳ６：続いて、利用者は、調整が行われたガイド用枠Ｆを切り抜き枠として決定し、入力部７０のマウスを操作して、所定部位Ａの座標（第１の座標）を基準として顔写真の切り抜き枠を規定する座標（第２の座標）を指定する。具体的には、図形Ｆａが人物Ｊの顔の輪郭に概ね重なって近似したときのカーソルＣの座標を指定する。この顔写真の切り抜き枠を規定する座標（第２の座標）は、入力部７０のマウスによるドラッグ操作の終点として指定される。この後、切り抜き枠座標演算部４０は、ステップ３で指定された座標（第１の座標）と、ステップ６で指定された座標（第２の座標）とを取り込み、これらの座標情報から切り抜き枠の座標を演算する。
以上により、一連の画像の切り抜き処理が終了する。
【００２０】
上述の処理の後、入力部７０から利用者が顔写真の印刷を指示すると、システム制御部５０は、切り抜き枠座標演算部４０の演算結果に基づいて、画像データ記憶部１０から画像データを読み出し、図示しないプリンタに顔写真を印刷させる。図３（ｄ）に、上述の処理により切り抜かれた顔写真の一例を示す。この例では、顔の位置が写真の中心線上に位置し、顔と首から下の胴体部分との割合が略２対１となっており、バランスのとれた顔写真が得られている。
【００２１】
ここで、顔の位置が中心線上に位置する理由は、顔の中心線上にある目と目との間（眉間）を所定部位Ａとして指定して切り抜き枠を規定したためである。また、顔と首から下の部分との割合は、上述の割合パラメータに応じて決定され、顔写真の横方向のサイズと縦方向のサイズとの比率は、上述のサイズパラメータに応じて決定されるので、これらのパラメータを顔写真の使用目的に応じて設定しておけば、所望の顔写真を容易に作成することができる。
【００２２】
以上、本発明の実施の形態を説明したが、本発明は、この実施の形態に限られるものではなく、本発明の要旨を逸脱しない範囲の設計変更等があっても本発明に含まれる。例えば、上述の実施の形態では、所定部位Ａの座標（第１の座標）として、目と目との間の位置を指定するものとしたが、これに限らず、例えば人物の「鼻」や「口」を指定するものとしてもよく、顔の輪郭に対して所定の位置関係を有するものであればどのような部位を指定してもよい。例えば「鼻」を指定するものとした場合、上述の図形Ｆａは、「鼻」に対して所定の位置関係を有するものとして規定され、目と目の間と顔の輪郭の中心とのズレ分に応じて、図形Ｆａが上下方向に偏心して表示される。
【００２３】
【発明の効果】
以上説明したように、本発明によれば、顔写真に現されるべき人物の顔の位置を与える所定部位の第１の座標を指定し、前記第１の座標に対して所定の位置関係を有する楕円状の図形が前記人物の顔の輪郭に近似するように、前記第１の座標を基準として前記顔写真の切り抜き枠を規定する第２の座標を指定するようにしたので、顔の画像部分を写真の中心線上に位置させながら、バランスよく容易に顔写真を切り抜くことが可能となる。
また、ポインティング・デバイスとしてマウスを使用した場合、１アクションの操作（マウスボタンの押し下げ→ドラッグ→ボタン離す）のみで、座標の指定を完了させることが可能である。
【図面の簡単な説明】
【図１】  本発明の実施の形態に係る顔写真画像切り抜き方法が適用された顔写真画像切り抜き装置の構成を示す図である。
【図２】  本発明の実施の形態に係る顔写真画像切り抜き装置の動作（顔写真画像切り抜き方法）の流れを示すフローチャートである。
【図３】  本発明の実施の形態に係る顔写真画像切り抜き装置の表示画面を示す図である。
【符号の説明】
１０：画像データ記憶部
２０：原画像表示制御部
３０：ガイド用枠生成表示制御部
４０：切り抜き枠座標演算部
５０：システム制御部
６０：表示部
７０：入力部
８０：データバス
１００：顔写真画像切り抜き装置
Ｓ１〜Ｓ６：ステップ
【図１】
0004374718.tif 000002
【図２】
0004374718.tif 000003
【図３】
0004374718.tif 000004